【手続補正書】
【提出日】平成18年9月22日(2006.9.22)
【手続補正１】
【補正対象書類名】明細書
【補正対象項目名】請求項２
【補正方法】変更
【補正の内容】
【請求項２】
請求項１に記載のマスチック型硬化性組成物であって、電気・電子部品、輸送機、土木・建築、医療またはレジャ−の用途に用いられることを特徴とするマスチック型硬化性組成物。
【手続補正２】
【補正対象書類名】明細書
【補正対象項目名】請求項１４
【補正方法】変更
【補正の内容】
【請求項１４】
請求項１に記載のマスチック型硬化性組成物からなることを特徴とするシーリング材。
【手続補正３】
【補正対象書類名】明細書
【補正対象項目名】請求項１５
【補正方法】変更
【補正の内容】
【請求項１５】
請求項１に記載のマスチック型硬化性組成物からなることを特徴とするポッティング材。
【手続補正４】
【補正対象書類名】明細書
【補正対象項目名】請求項１６
【補正方法】変更
【補正の内容】
【請求項１６】
請求項１に記載のマスチック型硬化性組成物からなることを特徴とするコーティング材。
【手続補正５】
【補正対象書類名】明細書
【補正対象項目名】請求項１７
【補正方法】変更
【補正の内容】
【請求項１７】
請求項１に記載のマスチック型硬化性組成物からなることを特徴とする接着剤。
【手続補正６】
【補正対象書類名】明細書
【補正対象項目名】００５８
【補正方法】変更
【補正の内容】
【００５８】
（式中、Ｒ1は、一般式［IV］におけるＲと同様、非置換または置換の炭素原子数１〜１
２の１価炭化水素基であり、特にアルキル基であることが好ましい。また、ｍは５〜２００の整数であり、特に１０〜１５０の整数が好ましい。）[アミノ基非含有脱水材（Ｂ）
およびアミノ基含有脱水材（C）]貯蔵安定性及びマスチック型を確保するためには、脱水剤である（Ｂ）及び（Ｃ）成分の添加が必須である。（Ｂ）成分の具体例としては、Ｓｉ（ＯＣ2Ｈ5）4、ＣＨ2＝ＣＨＳｉ（ＯＣＨ3）3、ＣＨ3ＣＨ2Ｓｉ（ＯＣＨ3）3、ＨＳＣＨ2ＣＨ2ＣＨ2Ｓｉ（ＯＣＨ3）3、ＣＨ2＝Ｃ（ＣＨ3）Ｃ（＝Ｏ）ＯＣＨ2ＣＨ2ＣＨ2Ｓｉ（ＯＣＨ3）3、
【手続補正７】
【補正対象書類名】明細書
【補正対象項目名】００６２
【補正方法】変更
【補正の内容】
【００６２】
に示されたエポキシシラン化合物との反応物又はＣＨ2＝Ｃ（ＣＨ3）Ｃ（＝Ｏ）ＯＣＨ2
ＣＨ2ＣＨ2Ｓｉ（ＯＣＨ3）3、ＣＨ2＝Ｃ（ＣＨ3）Ｃ（＝Ｏ）ＯＣＨ2ＣＨ2ＣＨ2Ｓｉ（
ＯＣＨ2ＣＨ2ＯＣＨ3）3のようなメタクリルオキシシラン化合物との反応物のようなアミノシラン化合物が例示でき、これらは単独もしくは併用して使用することができる。経済性及び取扱性などの観点から、アミノ基非含有脱水材（Ｂ）としては、ＣＨ2＝ＣＨＳｉ
（ＯＣＨ3）3及びＣＨ3ＣＨ2Ｓｉ（ＯＣＨ3）3が好ましい。
【手続補正８】
【補正対象書類名】明細書
【補正対象項目名】００６８
【補正方法】変更
【補正の内容】
【００６８】
可塑剤としては特に限定されるものではなく、通常用いられている可塑剤がいずれも使用できるが、本発明のマスチック型硬化性組成物に配合される各種成分との相溶性の良いものが好ましい。このような可塑剤の具体例としては、ジブチルフタレート、ジヘプチルフタレート、ジ（２−エチルヘキシル）フタレート、ブチルベンジルフタレート、ブチルフタリルブチルグリコレートなどのフタル酸エステル類；ジオクチルアジペート、ジオクチルセバケートなどの非芳香族２塩基酸エステル類；ジエチレングリコールジベンゾエート、トリエチレングリコールジベンゾエートなどのポリアルキレングリコールのエステル類；トリクレンジルホスフェート、トリブチルホスフェートなどのリン酸エステル類；塩化パラフィン類；アルキルジフェニル、ポリブテン、水添ポリブテン、エチレン−α−オレフィンオリゴマー、α−メチルスチレンオリゴマー、ビフェニル、トリフェニル、トリ
アリールジメタン、アルキレントリフェニル、液状ポリブタジエン、水添液状ポリブタジエン、パラフィン油、ナフテン油、アタクチックポリプロピレン、部分水添ターフェニルなどの炭化水素系油などであげることができ、これらは単独または２種以上混合して使用することができる。なおそれら可塑剤は重合体製造時に配合することも可能である。
【手続補正９】
【補正対象書類名】明細書
【補正対象項目名】００６９
【補正方法】変更
【補正の内容】
【００６９】
これらの中で不飽和基を有さない炭化水素系化合物類（具体的には水添ポリブテン、水添液状ポリブタジエン、パラフィン油、ナフテン油、アタクチックポリプロピレン等）が、本発明組成物に配合される各種成分との相溶性が良好であり、また該組成物の硬化速度への影響が小さく、しかも得られる硬化物の耐候性が良好となり、且つ安価なため、好ましい。
【手続補正１０】
【補正対象書類名】明細書
【補正対象項目名】００７１
【補正方法】変更
【補正の内容】
【００７１】
充填剤の具体例としては、例えば木粉、パルプ、木綿チップ、アスベスト、ガラス繊維、炭素繊維、マイカ、クルミ殻粉、もみ殻粉、グラファイト、珪藻土、白土、ヒュームドシリカ、沈降性シリカ、無水珪酸、カーボンブラック、炭酸カルシウム、クレー、カオリン、タルク、酸化チタン、炭酸マグネシウム、石英粉末、ガラスビーズ、アルミニウム微粉末、フリント粉末、亜鉛末等が挙げられる。これら充填剤のうちでは、沈降性シリカ、ヒュームドシリカ、カーボンブラック等のチキソトロピック性を有する充填剤や、炭酸カルシウム、酸化チタン、タルク等が好ましい。これらの充填剤は単独で用いてもよく、２種以上併用してもよい。
【手続補正１１】
【補正対象書類名】明細書
【補正対象項目名】００７４
【補正方法】変更
【補正の内容】
【００７４】
保存安定性改良剤としては、例えば珪素原子に加水分解性基が結合した化合物やオルト有機酸エステル等を挙げることができる。このような保存安定性改良剤の具体例としては、メチルトリエトキシシラン、テトラメトキシシラン、ジメチルジエトキシシラン、トリメチルイソブトキシシラン、トリメチル（ｎ−ブトキシ）シランやオルトギ酸メチル等を挙げることができる。
【手続補正１２】
【補正対象書類名】明細書
【補正対象項目名】００９９
【補正方法】変更
【補正の内容】
【００９９】
【実施例１】シリル基含有エチレン・α−オレフィン・非共役ポリエンランダム共重合体ゴム（Ａ−１）として製造例１で得られた重合体１００に対して、可塑剤（出光石油化学（株）製、商品名ＰＳ−３２）９０部、膠質炭酸カルシウム（白石工業（株）製、商品名ビスコライト−Ｒ）１２０部、重質炭酸カルシウム（白石工業（株）製、商品名ホワイトン−ＳＢ）２０部、ヒンダードフェノール系老化防止剤（チバガイギー（株）製、商品名イルガノックス１０１０）１部、ベンゾトリアゾール系紫外線吸収剤（チバガイギー（株）製、商品名チヌビン３２７）１部、チクソトロピック性付与剤（楠元化成（株）製、商品名ディスパロン＃６５００）３部を全て混合し、ロールを１回通した後に、錫触媒及びシリコン化合物以外を一括して５リットルのプラネタリーミキサーに投入し、減圧化、１２０℃×５時間脱水を行い、常温に冷却後、脱水剤；ビニルトリメトキシシラン（日本ユニカー（株）製、商品名Ａ−１７１）３部、錫触媒（日東化成（株）製、商品名Ｕ−２２０ ジブチル錫ジアセチルアセトナート）２部を添加して約３０分間攪拌後、１液用カー
トリッジに充填することにより１液型組成物を得た。
【手続補正１３】
【補正対象書類名】明細書
【補正対象項目名】０１０２
【補正方法】変更
【補正の内容】
【０１０２】
【比較例１】
実施例１のシリル基含有エチレン・α−オレフィン・非共役ポリエンランダム共重合体ゴム（Ａ−１）のみを、全末端の８５％に（ＣＨ3Ｏ）2Ｓｉ（ＣＨ3）ＣＨ2ＣＨ2ＣＨ2−基を含有し、ゲル浸透クロマトグラフィーで測定された数平均分子量が１２０００、分子量分布（Ｍｗ／Ｍｎ）＝１．２５のポリオキシプロピレン重合体（Ｅ−２）に変更する以外は実施例１と同様に配合し、１液化を実施した。